(57)【要約】   【課題】建築物の軒樋に落下した落葉等が集水器に集積せず雨水が集水器から溢れることがない落葉止め具を提供することを目的とする。  【解決手段】 軒先１１に軒樋１２と集水器１３が装備され、軒樋１２には落葉止め具１５が集水器１３から長さＬ隔てた位置Ｙに設けられる。軒樋１２は前壁１２ａと後壁１２ｂと底壁１２ｃから成る断面凹形状で、落葉止め具１５は軒樋１２の断面凹形状に沿って形成される幅Ｔ１の帯状枠部１６に落葉止め面１７を備えて形成される。帯状枠部１６に落葉止め面１７をスライド自在に挟持する一対のガイド突起１８を前面１６ａと後面１６ｂにそれぞれ形成する。落葉止め面１７は網目又はスリットの格子状に形成される。帯状枠部１６は一対の軒樋１２を接続する際に使用する既製品の内継手部材を使用することができる【選択図】  図２
2010031511.tif 000002
【特許請求の範囲】
【請求項１】
軒樋用の落葉止め具であって、前記軒樋は前壁と後壁と底壁から成る断面凹形状で、前記落葉止め具は前記軒樋の断面凹形状に沿って形成される帯状枠部に落葉止め面を備え前記軒樋に装備される集水器から隔てて取付けられることを特徴とする落葉止め具。
【請求項２】
請求項１に記載の落葉止め具であって、前記帯状枠部に前記落葉止め面をスライド自在に挟持する一対のガイド突起を設けることを特徴とする落葉止め具。
【請求項３】
請求項１又は請求項２に記載の落葉止め具であって、前記落葉止め面は格子状に形成されることを特徴とする落葉止め具。
【請求項４】
請求項１乃至請求項３のいずれか一項に記載の落葉止め具であって、前記帯状枠部として一対の前記軒樋の隣接する端部を内嵌して連結する継手部材を用いることを特徴とする落葉止め具。
【発明の詳細な説明】
【技術分野】
【０００１】
本発明は、建物の軒樋から雨水を排水する技術に関し、特に、軒樋に連結する集水器に落葉が溜まり難くする落葉止め具に関する。
【背景技術】
【０００２】
従来、建物の軒樋から集水器を用いて雨水を排水する場合に、集水器に落葉が溜まって排水が困難に成るという問題があった。この問題を防ぐため集水器用の落葉止め具の構造として特許文献１の方法が知られている。
【０００３】
特許文献１によれば、図５に示すように、落葉止め具１は水平クリップ１１２および垂直クリップ１１３によって集水器３に着脱自在に弾性係止され、軒樋４の底部に向かって垂下するくし歯状の捕集部１１４で集水器３がゴミや落ち葉等によって詰まることを防ぐ。さらに、垂直クリップ１１３の内側の係止片１３１は外側の係止片１３２よりも長くされているため集水器３の部材である切片１３３を挟持して落葉止め具１が簡単に外れることなくしっかりと集水器３に取付けることができる。
【特許文献１】特開２００７−１３８６１１号公報
【発明の開示】
【発明が解決しようとする課題】
【０００４】
ところが、軒樋４に落下した落葉等が落葉止め具１から溢れて集水器３内に集積した場合に、集水器３が詰まるため雨水が集水器３から溢れるという問題があった。
【０００５】
そこで、本発明はかかる従来技術の問題に鑑みなされたものであり、軒樋に落下した落葉等が集水器に集積して雨水が集水器から溢れることがない落葉止め具を提供することを目的とする。
【課題を解決するための手段】
【０００６】
請求項１の発明は、軒樋用の落葉止め具であって、前記軒樋は前壁と後壁と底壁から成る断面凹形状で、前記落葉止め具は前記軒樋の断面凹形状に沿って形成される帯状枠部に落葉止め面を備え前記軒樋に装備される集水器から隔てて取付けられることを特徴としている。
【０００７】
請求項２の発明は、請求項１に記載の落葉止め具であって、前記帯状枠部に前記落葉止め面をスライド自在に挟持する一対のガイド突起を設けることを特徴としている。
【０００８】
請求項３の発明は、請求項１又は請求項２に記載の落葉止め具であって、前記落葉止め面は格子状に形成されることを特徴としている。
【０００９】
請求項４の発明は、請求項１乃至請求項３のいずれか一項に記載の落葉止め具であって、前記帯状枠部として一対の前記軒樋の隣接する端部を内嵌して連結する継手部材を用いることを特徴としている。
【発明の効果】
【００１０】
請求項１の発明によれば、前記落葉止め具は前記軒樋の断面凹形状に沿って形成される帯状枠部に落葉止め面を備え、前記落葉止め具は前記軒樋に装備される集水器から隔てて所定位置に容易に装着できる。このため、軒樋に落下した落葉等が落葉止め具に集積した状態から溢れても集水器までの距離が確保されるので落葉等で集水器が詰まらないので集水器から雨水が溢れることが防止できる。また、任意の位置に調整して容易に装着できるので施工性に優れる。
【００１１】
請求項２の発明によれば、前記帯状枠部に前記落葉止め面をスライド自在に挟持する一対のガイド突起を設けるので、前記落葉止め具は一対のガイド突起に沿って確実且つ容易に前記帯状枠部からスライド脱着できるのでメンテナンス作業が容易である。
【００１２】
請求項３の発明によれば、前記落葉止め面は格子状に形成されるので雨水の水路を確保しながら落ち葉等を確実且つ容易に捕集できる。
【００１３】
請求項４の発明によれば、前記軒樋の一対の隣接する端部を内嵌して連結する継手部材を前記帯状枠部として用いることができるので、前記帯状枠部を別途製作する必要がないためコスト低減できる。
【発明を実施するための最良の形態】
【００１４】
＜落葉止め具の構成＞
以下に、本発明の第一の実施形態を図１〜図３に基づいて説明する。
【００１５】
図１、図２、図３に示すように、図示しない建物の屋根からの雨水Ｐを排水するため、軒先１１には軒樋１２と軒樋１２に連結して集水器１３が装備される。集水器１３に流れた雨水Ｐは集水器に連結する竪樋１４によって図示しない地上の排水溝まで導かれる。
【００１６】
ここで、集水器１３内に落葉Ｑやゴミ等が流入して集積し雨水Ｐが集水器１３の上端部１３ａから外側に溢れ出ることを防ぐために軒樋１２には落葉止め具１５が集水器１３から長さＬ隔てた位置Ｙに設けられる。
【００１７】
軒樋１２は前壁１２ａと後壁１２ｂと底壁１２ｃから成る断面凹形状で、前壁１２ａと後壁１２ｂは底壁１２ｃから外側に傾斜するように形成される。前壁１２ａと後壁１２ｂの頂端部に前耳部１２ｄと後耳部１２ｅが軒樋１２の外側に突出して設けられる。
【００１８】
落葉止め具１５は軒樋１２の断面凹形状に沿って内嵌合するように形成される幅Ｔ１の帯状枠部１６に落葉止め面１７を備える。より詳しくは、帯状枠部１６の前面１６ａと後面１６ｂと底面１６ｃの外寸法は、軒樋１２の前壁１２ａと後壁１２ｂと底壁１２ｃの内寸法に等しく、それぞれ長さＳ１、Ｓ２、Ｓ３である。
【００１９】
帯状枠部１６の中央部に落葉止め面１７をスライド脱着自在に挟持するために一対のガイド突起１８を前面１６ａと後面１６ｂに形成する。ガイド突起１８は矩形断面で長さ略Ｓ１の長尺材である。この一対のガイド突起１８に挿入される落葉止め面１７は台形状で角棒１７ａを用いて網目の格子状に形成され、落葉止め面１７の外周には補強用の枠材Ｗを備える。帯状枠部１６は一対の軒樋１２を接続する際に使用する既製品の内継手部材を使用することができる。帯状枠部１６は必要に応じて接着剤等を用いて軒樋１２に固定される。
【００２０】
軒樋１２はアクリル系樹脂や硬質塩化ビニール樹脂等の合成樹脂又はステンレス材等が用いられ、落葉止め具１５の帯状枠部１６は亜鉛メッキ鋼材又はステンレス材、落葉止め面１７は亜鉛メッキ鋼材又はステンレス材或いは合成樹脂等が用いられる。
＜落葉止め具の作用＞
【００２１】
落葉止め具１５が集水器１３から長さＬの隙間を隔てて設けられる。このため、軒樋１２に落下した落葉Ｑ等が雨水Ｐに流されて落葉止め具１５に集積した状態で、仮に落葉Ｑ等が溢れても集水器１３まで距離があるので忽ち集水器１３が落葉Ｑで詰って雨水Ｐが集水器１３から溢れるということが防止できる。このため、軒樋１２の落葉Ｑの清掃をする時間的余裕が確保できるのでメンテナンス性が向上する。落葉止め具１５は集水器１３から任意の位置に調整して後付けで装着きるので施工性に優れるとともに、落葉を容易に取除ける位置に取付けることで落葉清掃作業性が向上する。帯状枠部１６は一対の軒樋１２を接続する際に使用する既製品の内継手部材を使用することができるのでさらにコスト低減できる。
＜本発明の第二の実施形態＞
【００２２】
本発明の第二の実施形態の落葉止め具を、図４を用いて説明するが、図２に示す落葉止め具の構成と同構成部分については、図面に同符号を付して重複した説明を省略する。
【００２３】
図４に示すように、落葉止め具３０は帯状枠部１６と落葉止め面３１で形成され、落葉止め面３１は角棒３１ａを用いて略垂直方向に櫛のようなスリット形の格子状に形成され、その外周に補強用の枠材Ｗを備えている。軒樋１２の前耳部１２ｄと後耳部１２ｅは軒樋１２の内側に向けて形成され、前耳部１２ｄと前壁１２ａとの間に溝部１２ｆが形成される。
【００２４】
帯状枠部１６の両端部には前耳部１２ｄに対応する前固着部３２と後耳部１２ｅに対応する後固着部３３が形成される。内側に向けて湾曲する前固着部３２は外側に突出する係止板３２ａを備え、前固着部３２と係止板３２ａの間に係止溝３２ｂが形成される。このため、帯状枠部１６を軒樋１２に挿入すると、後固着部３３が後耳部１２ｅに係止すると同時に係止溝３２ｂが前耳部１２ｄに弾性的に係止されてワンタッチ装着できる。
【００２５】
以上、本発明の実施例を図面に基づいて説明したが、具体的な構成はこの実施例に限られるものではなく本発明の要旨を逸脱しない範囲の設計変更等があっても本発明に含まれる。
【００２６】
たとえば、落葉止め面１７の高さが帯状枠部１６の前面１６ａと後面１６ｂの高さより低い形成にしても構わない。落葉止め面１７をスライド脱着自在に挟持するための一対のガイド突起１８は断続的に形成してもよい。また、軒樋１２に複数組の落葉止め具１５を配置しても構わない、この方法であれば、落葉Ｑ等が複数の落葉止め具１５によって集積されるので落葉等が溢れても集水器に至るまでに相当の時間が係るので集水器は詰まらず、また落葉Ｑ等も余裕を持って取除くことができるので保守点検の効率が向上する。
【００２７】
一対の軒樋１２が接続される接続部が集水器１３の近くにある場合には、一対の軒樋１２の端部を内嵌して連結するための内継手部材そのものを落葉止め具１５の帯状枠部１６として使用できる。落葉止め具は一対の軒樋１２が連結される位置と、軒樋１２の連結部でない任意の位置とに複数組設けても構わない。落葉止め面１７は螺旋形等にしてデザイン性を付加しても良い。落葉止め面１７面の格子形状は全域に形成しなくても良い。落葉止め面１７は丸棒で形成しても良い、落葉止め面１７の外周の補強用の枠材Ｗは落葉止め面１７の剛性が充分であれば省いても構わない。落葉止め面３１の一辺に枠材Ｗを備えず角棒３１ａの先端が剥き出した状態で櫛のような格子状に形成でもよい。
【図面の簡単な説明】
【００２８】
【図１】本発明の第一の実施形態における、軒先１１に軒樋１２と集水器１３が装備され、集水器１３から隔てた位置に落葉止め具１５を設けた状態を示す側面図である。
【図２】本発明の第一の実施形態における、落葉止め具１５が軒樋１２に装着された状態における図１のＡ−Ａ断面の分解斜視図である。
【図３】本発明の第一の実施形態における、落葉止め具１５が軒樋１２に装着された状態の図１のＢ−Ｂ断面図である。
【図４】本発明の第二の実施形態における、軒樋１２に落葉止め具３０を装着した状態を示す斜視図である。
【図５】従来例における、落葉止め具１が集水器３に着脱自在に係止される状態を示す斜視図である。
【符号の説明】
【００２９】
１１  軒先
１２  軒樋
１２ａ  前壁
１２ｂ  後壁
１２ｃ  底壁
１３  集水器
１５  落葉止め具
１６  帯状枠部
１７  落葉止め面
１８  ガイド突起
【図１】
2010031511.tif 000003
【図２】
2010031511.tif 000004
【図３】
2010031511.tif 000005
【図４】
2010031511.tif 000006
【図５】
2010031511.tif 000007